(57)【要約】    【課題】  携帯用機器とともに用いるディスクや、携帯用機器をＰＣに接続する際にドライバソフトウェア等をインストールする際に必要となるディスクを携帯用機器とともに携行するのを容易にする。    【解決手段】  携帯用電子機器１００は、ＣＤ等のディスク１１８を保持するためのホルダ１０６を底面に備える。ホルダ１０６は、ディスク１１８の中央開口部１２２を受けるようになっている中央開口部保持部１１０を備える。装着されたディスク１１８は、隆起部１１４によって保護される。    【選択図】    図３
2005078791.tif 000002
【特許請求の範囲】
【請求項１】
携帯用電子機器であって、
前記携帯用電子機器と一体化され、前記携帯用電子機器にディスクを保持することが可能なディスクホルダ
を備えることを特徴とする携帯用電子機器。
【請求項２】
携帯用電子機器であって、前記ディスクホルダは、ディスクの中央開口部を受けるようになっている中央開口部保持部を備えることを特徴とする、請求項１に記載の携帯用電子機器。
【請求項３】
携帯用電子機器であって、前記中央開口部保持部は、前記携帯用電子機器に設けられる、ディスクの搭載面と一体に形成されることを特徴とする、請求項２に記載の携帯用電子機器。
【請求項４】
携帯用電子機器であって、前記ディスクホルダはさらに、前記ディスクホルダに固定されているディスクの縁の少なくとも一部に沿うように形成されている少なくとも１つの隆起部を備えることを特徴とする、請求項２に記載の携帯用電子機器。
【請求項５】
携帯用電子機器であって、前記ディスクホルダは、互いに対向するレールを備え、前記互いに対向するレールの間にディスクを挿入することができることを特徴とする、請求項１に記載の携帯用電子機器。
【請求項６】
携帯用電子機器であって、前記互いに対向するレールは、前記互いに対向するレールの間にディスクが挿入されたときに前記ディスクを固定するように形成されている弾性部材を備えることを特徴とする、請求項５に記載の携帯用電子機器。
【請求項７】
携帯用電子機器であって、前記弾性部材は、前記レールと一体に形成される細長い弾性部材を備えることを特徴とする、請求項６に記載の携帯用電子機器。
【請求項８】
携帯用電子機器であって、前記対向するレールは前記携帯用電子機器に設けられる、ディスクの搭載面と一体に形成されることを特徴とする、請求項５に記載の携帯用電子機器。
【請求項９】
携帯用電子機器であって、前記ディスクホルダは、その中にディスクを挿入することができるポケットを備えることを特徴とする、請求項１に記載の携帯用電子機器。
【請求項１０】
携帯用電子機器であって、前記ポケットは、前記携帯用電子機器に設けられる、ディスクの搭載面と一体に形成されることを特徴とする、請求項９に記載の携帯用電子機器。
【発明の詳細な説明】
【技術分野】
【０００１】
本発明は携帯用電子機器に関し、特にＣＤやＤＶＤ等のディスクを共に携帯することを容易にする、ディスクホルダを備える携帯用電子機器に関する。
【背景技術】
【０００２】
これまで据え置き型の機器でしか利用できなかったさまざまな機能が携帯用機器でも利用できるようになるにつれて、携帯用電子機器は人気が高まり続けている。
【０００３】
ひとつの場所から他の場所へと移動するときに、所与の携帯用機器とともに、１つまたは複数のコンパクトディスク（ＣＤ）を携帯することが望ましいことが多い。例えば、コンピュータとともに用いるよう構成された周辺装置を携帯用機器が備える場合には、ユーザは、１つまたは複数の携帯用機器のドライバおよび／またはコンピュータでその携帯用機器にアクセスし制御するよう設計されたユーザアプリケーションを備える、読出し専用メモリＣＤ（ＣＤ−ＲＯＭ）を携帯したいかもしれない。このようなＣＤ−ＲＯＭを携帯することによって、ユーザは、必要なソフトウェアをまだ備えていないコンピュータしか使用することができない場合であっても、その機器を用いることができるようになるであろう。
【０００４】
他の例を挙げれば、携帯用機器がディスクドライブ（例えば、オーディオＣＤドライブ、ＣＤ−ＲＯＭドライブ、またはデジタルバーサタイルディスク（ＤＶＤ）ドライブ）を含む場合には、ユーザは、現在ディスクドライブに入っているディスクの他に、１つまたは複数の余分なディスクを携帯したいと思う場合がある。例えば、ＣＤプレーヤー、ノートパソコン、またはゲームのコンソールについては、これがあてはまる場合がある。
【発明の開示】
【発明が解決しようとする課題】
【０００５】
ユーザは、別個（別体）のディスクキャリア（carrier)で、またはその他の手段によって（例えば、手で持って、上着のポケットに入れて、等）、１つまたは複数のコンパクトディスクを携帯することができるが、特にユーザが他の用品を携帯しなければならない場合（例えば旅行時）には、そのようにするのは面倒で、かつ／または不便な場合がある。したがって、携帯用機器とともにＣＤを好都合に携帯するのに役立つＣＤホルダを有することが望ましい、ということが理解できる。
【課題を解決するための手段】
【０００６】
コンパクトディスクを固定する携帯用電子機器および方法が開示される。一実施形態において、携帯用電子機器は、携帯用電子機器に一体化したコンパクトディスクホルダを備え、コンパクトディスクホルダは、携帯用電子機器上にコンパクトディスクを固定するようになっている。
【０００７】
一実施形態において、コンパクトディスクを携帯用電子機器の外側に固定する方法は、携帯用電子機器に一体化したコンパクトディスクホルダにコンパクトディスクを固定することを含む。
【発明を実施するための最良の形態】
【０００８】
開示する装置および方法は、図面を参照すればよりよく理解することができる。図面における各構成要素は、必ずしも正確な縮尺率で描かれているわけではない。
【０００９】
上で明らかにしたように、オーディオＣＤ、読出し専用メモリＣＤ（ＣＤ−ＲＯＭ）、追記型ＣＤ（ＣＤ−Ｒ）、書き換え可能ＣＤ（ＣＤ−ＲＷ）、またはデジタルバーサタイルディスク（ＤＶＤ）等のＣＤ（ディスク）を、携帯用機器とともに好都合に携帯するのに役立つディスク（ディスク）ホルダを有することが望ましい。以下では、ディスクとしてＣＤを一例にとり、ディスクを保持するためのものとしてＣＤホルダを一例にとって説明する。後述するように、携帯用機器に一体化したＣＤホルダによって、１つまたは複数のそのようなＣＤを着脱自在に（releasably）取り付けるまたは保持することができ、別個の努力なしに（携帯用機器を持ち運ぶこと、およびＣＤを持ち運ぶことの両方に対して手間をかけることなく）、そのような１つまたは複数のＣＤを携帯用機器とともに（すなわち、携帯用機器上に）容易に携帯することができるようになっている。
【００１０】
ＣＤホルダおよびＣＤホルダを組み込んだ携帯用機器のさまざまな実施形態を、本明細書において開示する。具体的な実施形態を図示し本明細書において説明するが、このような実施形態は、一例としてＣＤホルダおよび携帯用機器のみについて説明する。
【００１１】
次に図面をより詳細に参照するが、図面を通して、同じ番号は対応する部品を表す。図１乃至図４は、一体型ＣＤホルダを含む第１の携帯用機器１００を示す。まず図１を参照して、携帯用機器１００は、例えば、携帯用フラットベッドスキャナを備えていてもよい。したがって、携帯用機器１００は、スキャナのプラテン（図１では見えない）を覆う枢動可能なふた１０２（閉位置で示す）を含んでいてもよい。携帯用フラットベッドスキャナを図１に示し本明細書において明示的に特定しているが、携帯用機器１００は、より一般的には、ユーザがそれとともにＣＤを携帯する可能性のあるいかなる携帯用電子機器を備えていてもよく、このＣＤとしては、後になって携帯用機器のドライブに挿入するためのものであっても、携帯用機器にアクセスして制御するのに用いることになっている別個の装置（例えば、パーソナルコンピュータ（ＰＣ））のドライブに挿入するためのものであってもよい。したがって、その他の考えられる携帯用機器としては、例えば、ＣＤプレーヤー、ノートパソコン、タブレットコンピュータ、携帯用プリンタ、携帯用ディスクドライブ、周辺装置のＣＤリーダおよび／またはライタ（peripheral CD readers and/or writers）、携帯情報端末（ＰＤＡ）、デジタルカメラ、携帯電話、ゲームのコンソール、携帯用ステレオ、等が含まれていてもよい。
【００１２】
携帯用機器１００の個別の構成には関係なく、機器は、適切な材料、例えばハウジングを形成するように射出成形されたプラスチック材料でできた、機器ハウジング１０４を備える。ハウジング１０４は、携帯用機器１００の内部構成要素（例えば、プロセッサ（複数可）、メモリ、モータ、等）を取り囲むさまざまな側面（面）を備える。機器ハウジング１０４のそのような面の１つの上に、ＣＤホルダが設けられている。図１乃至図４の実施形態において、携帯用機器１００の搭載面（ディスクが搭載される面）１０８上に、ＣＤホルダ１０６が設けられている。搭載面１０８は、機器１００の底部に一体化している。図２に示すように、ＣＤホルダ１０６は、ＣＤの中央開口部を受け入れる（receive）ようになっている中央開口部保持部１１０を備える。中央開口部保持部１１０は、ＣＤの中央開口部に係合するようになっている複数の弾性タブ１１２を備える。実施形態によっては、中央開口部保持部１１０は搭載面１０８と一体成形され、搭載面（および、搭載面が作成されるハウジングの側面）とともに保持部を成形することができるようになっている。そのような仕組み（arrangement）によって、必要以上の製造コスト増大が回避され、通常、機器１００の単位原価が著しく増大することはない。例として、中央開口部保持部１１０は、従来のＣＤジュエルケースの保持部と同様の構成を有していてもよい。
【００１３】
ＣＤホルダ１０６は、保持部１１０の他に、ＣＤホルダ１０６に取り付けたときのＣＤの縁のうちの少なくとも一部に沿う（trace）ようになっている、１つまたは複数の隆起部１１４を備えていてもよい。使用時には、平らな面（例えば、机）上に配置されると隆起部１１４が、および場合によっては携帯用機器１００の弾性足部１１６が、携帯用機器を支持することができ、ＣＤがＣＤホルダ１０６内の所定場所にあるときにはそのＣＤを保護するようになっている。しかしながら、特筆すべきは、中央開口部保持部１１０と、ＣＤホルダ１０６におけるＣＤ取り付け領域よりもわずかに大きい領域とが、機器１００の搭載面１０８よりも内に凹んでいる場合には、そのような隆起部１１４は不要でありうる、ということである。そのような構成によって、ＣＤがさらに保護される。
【００１４】
図３および図４を特に参照して、ＣＤホルダ１０６の使用法を説明する。まず図３を参照して、携帯用機器１００は、この場合には機器の底部である搭載面１０８へのアクセスをユーザが有するような向きになっている。次にユーザは、矢印１２０で示すように、ＣＤホルダ１０６に取り付けるＣＤ１１８をホルダ１０６に向かって動かす。図３に示すように、ＣＤ１１８（オーディオＣＤ、ＣＤ−ＲＯＭ、ＣＤ−Ｒ、ＣＤ−ＲＷ、ＤＶＤ、またはその他のそのようなディスク、のいずれであってもよい）は中央開口部１２２を含む。いったん、中央開口部保持部１１０がＣＤの中央開口部１２２に整列するようにＣＤ１１８がＣＤホルダ１０６に接触すると、ＣＤが押し下げられて、保持部１１０の、弾性タブ１１２を、ＣＤの中央開口部１２２内へと押し込むことができる。そのように押し込むことによって、タブ１１２が内側に曲がり、ＣＤの中央開口部１２２に対して外向きの力が加えられるようになっている。この力によって、ＣＤ１１８がホルダ１０６上の所定位置に保持される。ＣＤ１１８を取り外すには、弾性タブ１１２を指で押し下げることによってさらに内側に曲げて、ＣＤをはずすことができる。しかしＣＤ１１８は、ただ単に搭載面１０８から上向きに引き離すことによって取り外してもよい。タブ１１２が自動的に曲がることによってＣＤを取り外すことができるからである。
【００１５】
図５および図７は、第２の携帯用機器２００を示す。図１乃至図４に示す第１の携帯用機器１００と同様に、携帯用機器２００は、ユーザがそれとともにＣＤを携帯したいと思う場合があるいかなる携帯用電子機器であってもよい。携帯用機器２００は、搭載面２０４を備えるハウジング２０２を含む。搭載面２０４上には、上述したのとは別のＣＤホルダ２０６と、任意選択で、弾性足部２０８とが設けられている。
【００１６】
図５乃至図７の実施形態のＣＤホルダ２０６は、ＣＤ２１２を保持するのに用いる、２つの互いに対向するレール２１０を含む。例として、レール２１０は、適宜の成形プロセスによって搭載面２０４と一体成形される。図６は、２つのレールのうちの一方の詳細断面図である。図６に示すように、それぞれのレール２１０は、搭載面２０４から上に延びる側壁２１４と、側壁２４１から対向する他方のレールに向かって延びるカバー部材２１６とを備え、それぞれのレールが閉じたレールとみなすことができるようになっている。図６にさらに示すように、それぞれのレール２１０はさらに、レール同士の間に挿入するときにＣＤ２１２を固定するのに用いる、弾性部材２１８を含んでもよい（図７）。例として、弾性部材２１８は、カバー部材２１６の下でレール２１０に挿入した、密な（dense）フォーム部材またはゴムのグロメットを備えていてもよい。あるいは、弾性部材２１８は、レール２１０と、任意選択で搭載面２０４とに一体成形された、弾性タブを備えていてもよい。図５の隠れ線で示すように、弾性部材２１８は、レール２１０の長さに沿って略中間に配置して、ＣＤ２１２をレール同士の間に完全に挿入するとＣＤ２１２の縁に係合するようになっていてもよい。より詳細には、弾性部材２１８は、ＣＤ２１２をレール２１０同士の間に完全に挿入すると、変形してＣＤにしっかりと係合するような配置、サイズ、および構成であってもよい。
【００１７】
図５をさらに参照して、ＣＤ２１２は、カバー部材２１６の下でレール２１０同士の間に、矢印２２０で示す向きに摺動させることによって、ＣＤホルダ２０６に取り付けられる。ＣＤ２１２がレールの弾性部材２１８に接触すると、弾性部材が外向きに変形して、ＣＤの縁に力を加えるようになっている。図７に示すように、いったんＣＤ２１２をレール２１０同士の間に完全に挿入すると、弾性部材２１８が大きく変形してＣＤをしっかりと保持し、ＣＤが誤ってＣＤホルダ２０６から滑り落ちることがないようにすることができる（図５における弾性部材の向きあるいは形状を、図７と比較されたい）。しかし弾性部材２１０は、ユーザがＣＤを取り外せないほど強力にＣＤ２１２を保持するわけではない。したがってＣＤ２１２は、ただ単にＣＤホルダ２０６から完全に取り外されるまでレール２１０から引き出す（例えば、図５の矢印２２０と反対向きに）ことによって、取り外すことができる。
【００１８】
図５乃至図７には示していないが、ＣＤホルダ２０６は、任意選択でさらに、ＣＤ２１２が確実にしっかりと保持されるようにするさらなる保持手段を含んでもよい。例えば、そのようなさらなる保持手段は、レール２１０のうちの一方または両方から内向きに延びて、ＣＤ２１２がレール同士の間を摺動するときにＣＤ２１２を押し付ける、１つまたは複数のタブまたはラッチ（留め具）を備えてもよい。他の仕組みにおいて、そのようなタブまたはラッチは、ＣＤ２１２を所定場所に固定するように、レール２１０のうちの一方から、ＣＤ２１２の中央開口部に向かって延在するものであってもよい。そのようなさらなる保持手段を実施する場合には、任意選択で、搭載面２０４と一体成形して、搭載面とともにＣＤホルダ２０６を成形するのを容易にしてもよい。
【００１９】
図８および図１０は、第３の携帯用機器３００を示す。第１、第２の携帯用機器１００および１０２と同様に、携帯用機器３００は、ユーザがそれとともにＣＤを携帯したいかもしれないいかなる携帯用電子機器を備えていてもよい。携帯用機器３００は、搭載面３０４を備えるハウジング３０２を含む。搭載面３０４上には、上述したのとは別のＣＤホルダ３０６と、任意選択で、弾性足部３０８とが設けられている。
【００２０】
ＣＤホルダ３０６は、図５乃至図７に示す実施形態のＣＤホルダ２０６と同様の方法で動作する。しかしＣＤホルダ３０６は、２つのレールを備える代わりに、ＣＤ３１２を挿入することができるポケット３１０を備える。このポケット３１０は、例えば成形工程によって、搭載面３０４と一体成形してもよく、または、搭載面３０４の製造後に、例えば接着剤での接合またはポリマー溶接（溶着）によって、そこに取り付けてもよい。いずれの場合でも、ポケット３１０は、プラスチックまたはビニル材料等の弾性材料で形成されており、ＣＤ３１２がぴったりとはまって、携帯用機器３００が動いている間にＣＤが誤ってポケットから滑り落ちることが確実にないようにするようなサイズおよび構成である。
【００２１】
ポケット３１０の構造を、より詳細に図９の断面図に示す。図９に示すように、ポケット３１０は比較的薄く、搭載面３０４と相俟って、ＣＤ３１２をその中に配置することができる内部スペース３１４を形成している。
【００２２】
再び図８を参照して、ＣＤ３１２は、矢印３１６の向きにポケット３１０内へと摺動することによって、ＣＤホルダ３０６に収納される。上述のように、ポケット３１０は、ＣＤ３１２がポケットにぴったりとはまって所定位置にしっかりと保持されるようにするようなサイズおよび構成である。しかしＣＤ３１２は、ただ単にポケット３１０から引き出すことによって、取り外すことができる。オプションで、ポケット３１０に形成した切欠き３１８（図８および図１０）を用いて、ＣＤ３１２をＣＤホルダ３０６から取り外すときにつかみやすくしてもよい。
【００２３】
図１１および図１２は、第４の携帯用機器４００を示す。上述の第１の携帯用機器と同様に、携帯用機器４００は、ユーザがそれとともにＣＤを携帯したいと思う場合があるいかなる携帯用電子機器を備えていてもよい。携帯用機器４００は、搭載面４０４を備えるハウジング４０２を含む。搭載面４０４上には、上述したのとは別のＣＤホルダ４０６と、オプションで、弾性足部４０８とが設けられている。
【００２４】
ＣＤホルダ４０６は、互いに対向するレール４１０を備えているという点において、図５乃至図７のＣＤホルダ２０６と同様である。しかし、図１１および図１２の実施形態においては、レール４１０はそれぞれ開放型（図５〜図７に示すものと違って、ＣＤを抱き抱えるようになっていない）であり、外向きに変形してＣＤ４１４を収容することができる細長い弾性部分４１２を備える。ここで、「細長い」とは、一対の弾性部分４１２、４１２のそれぞれと、装着されるＣＤとの接触部における、ＣＤの外径円の接線方向に沿う寸法と、法線方向に沿う寸法とを比較したときに、弾性部分４１２は法線方向に沿う寸法に比して接線方向に沿う寸法の方が長いことを意味している。細長い弾性部分４１２は、開放型のレール４１０と一体成形されており、レール４１０は同様に、搭載面４０４と一体に成形されていてもよい。しかし、細長い弾性部分４１２は、搭載面４０４に対して所定位置に固定されているわけではなく、外向きに（一対の弾性部分４１２、４１２の、ＣＤと接触するそれぞれの部分間の距離が増す方向に）変形することができるようになっている。
【００２５】
図１１を参照して、ＣＤ４１４を、矢印４１６の向きに開放型のレール４１０同士の間に摺動することによって、ＣＤホルダ４０６に取り付ける。ＣＤ４１４を開放型のレール４１０同士の間に摺動するときに、ＣＤの縁が細長い弾性部分４１２に接触して外向きに押し、ついには、図１２に示すような状態で変形している細長い弾性部分４１２がＣＤ４１４に及ぼす力によって、ＣＤ４１４がレール４１０同士の間で所定位置にしっかりと保持される。
【図面の簡単な説明】
【００２６】
【図１】本発明の実施の形態に係る携帯用機器の一例を上面側から見た様子を示す斜視図である。
【図２】第１の携帯用機器のコンパクトディスクホルダを示す、図１の機器の底面側から見た様子を示す斜視図である。
【図３】図１の携帯用機器の底面側から見た様子を示す斜視図であり、図２に示すコンパクトディスクホルダにコンパクトディスクを取り付ける過程を示す図である。
【図４】図２に示すコンパクトディスクホルダにコンパクトディスクを取り付けた状態を示す、図１の携帯用機器の底面側から見た様子を示す斜視図である。
【図５】第２のコンパクトディスクホルダの実施形態を示す、他の携帯用機器の底面図である。
【図６】図５の断面６−６に沿った、図５に示すコンパクトディスクホルダの断面を示す、部分断面図である。
【図７】図５に示すコンパクトディスクホルダを用いてコンパクトディスクを図５の携帯用機器に取り付けた状態を示す、図５の機器の底面図である。
【図８】第３のコンパクトディスクホルダの実施形態を示す、さらなる携帯用機器の底面図である。
【図９】図８の断面９−９に沿った、図８に示すコンパクトディスクホルダの断面を示す部分断面図である。
【図１０】図８に示すコンパクトディスクホルダを用いてコンパクトディスクを図８の携帯用機器に取り付けた状態を示す、図８の機器の底面図である。
【図１１】第４のコンパクトディスクホルダの実施形態を示す、さらに他の携帯用機器の底面図である。
【図１２】図１１に示すコンパクトディスクホルダを用いてコンパクトディスクを図１１の携帯用機器に取り付けた状態を示す、図１１の機器の底面図である。
【符号の説明】
【００２７】
１００、２００、３００、４００    携帯用機器
１０８、２０４、３０４、４０４    搭載面
１０６、２０６、３０６、４０６    ＣＤホルダ
１１０    中央開口部保持部
１１４    隆起部
１１６、２０８、３０８、４０８    弾性足部
１１８、２１２、３１２、４１４    ＣＤ（ディスク）
２１０    レール
２１４    側壁
２１６    カバー部材
２１８    弾性部材
３１０    ポケット
３１４    内部スペース
３１８    切欠き
４１０    レール
４１２    細長い弾性部分
【図１】
2005078791.tif 000003
【図２】
2005078791.tif 000004
【図３】
2005078791.tif 000005
【図４】
2005078791.tif 000006
【図５】
2005078791.tif 000007
【図６】
2005078791.tif 000008
【図７】
2005078791.tif 000009
【図８】
2005078791.tif 000010
【図９】
2005078791.tif 000011
【図１０】
2005078791.tif 000012
【図１１】
2005078791.tif 000013
【図１２】
2005078791.tif 000014